(57)【要約】      （修正有）【課題】アラインメントワッシャーを備えたヒンジを、その取付けがより早く、より簡単に、より確実に、かつ何度も再生可能に行え、また、アラインメントワッシャーが途中でヒンジ板の平面内の希望する全方向で調節可能で、ピッタリ合う様に固定することができるように改良することを課題とする。【解決手段】貫通開口が設けられた回転可能なヒンジ板１，２と、アラインメントワッシャー６を有し、貫通用の貫通開口がヒンジを取りつけるための組立手段により設けられ、そこではアラインメントワッシャー６及びヒンジ板１，２がヒンジ板の平面で互いに対して調節可能であり、かつ、そこでは、アラインメントワッシャー６及び／又はヒンジ板１，２に鋭い縁の隆起領域が設けられており、縁の鋭く隆起した領域が、他の協働部品、即ちアラインメントワッシャー６又はヒンジ板１，２の合わせ面として、より高い硬度を有する。【選択図】図１
2007107371.tif 000002
【特許請求の範囲】
【請求項１】
調節可能なヒンジであって、該ヒンジは、少なくとも１つの貫通開口（１１）が設けられた少なくとも１つの回転可能なヒンジ板（１，２）、及び少なくとも１つの貫通開口（２４）が設けられた少なくとも１つのアラインメントワッシャー（６）を有し、その貫通用の貫通開口（１１，２４）がヒンジを取りつけるための組立手段により設けられ、そこではアラインメントワッシャー（６）及びヒンジ板（１，２）がヒンジ板（１，２）の平面で互いに対して調節可能であり、かつ、そこではアラインメントワッシャー（６）及び／又はヒンジ板（１，２）に少なくとも１つの鋭い縁の隆起領域（１５，２３）が設けられており、
少なくとも一つの縁の鋭く隆起した領域（１５，２３）が、他の協働部品（１，２又は６）、即ちアラインメントワッシャー（６）又はヒンジ板（１，２）の少なくとも合わせ面として、より高い硬度を有することを特徴とする、調節可能なヒンジ。
【請求項２】
少なくとも１つの縁の鋭く隆起した領域（１５，２３）が、少なくとも１つの突出した環状カラー（１５）として設計されることを特徴とする、請求項１に記載の調節可能なヒンジ。
【請求項３】
少なくとも１つの縁の鋭く隆起した領域（１５，２３）が、多数のポイント（２３）又はリブを有するマトリックス表面又はリブ付き領域として設計されることを特徴とする、請求項１又は２に記載の調節可能なヒンジ。
【請求項４】
ポイント（２３）がピラミッド形状に設計されることを特徴とする、請求項３に記載の調節可能なヒンジ。
【請求項５】
その中に少なくとも１つの尖った隆起領域（１５，２３）がピタリと合う様に貫通する軟質の合わせ面が、少なくとも１つの隆起領域（１７）又は合わせ面の表面から窪んだ少なくとも１つの凹部を有することを特徴とする、請求項１〜４のいずれか１項に記載の調節可能なヒンジ。
【請求項６】
多数のリブ形状の隆起領域（１７）が、互いに対して星形状に延びる軟質の合わせ表面から形成されることを特徴とする、請求項５に記載の調節可能なヒンジ。
【請求項７】
少なくとも１つの突出した環状カラー（１５）がアラインメントワッシャー上に配置されることを特徴とする、請求項２及び４〜６のいずれか１項に記載の調節可能なヒンジ。
【請求項８】
少なくとも１つの環状カラー（１５）が、アラインメントワッシャー（６）上表面軸方向に突出することを特徴とする、請求項７に記載の調節可能なヒンジ。
【請求項９】
少なくとも１つの環状カラー（１５）が円形又は楕円形に設計されることを特徴とする、請求項２及び４〜８のいずれか１項に記載の調節可能なヒンジ。
【請求項１０】
少なくとも１つの環状カラー（１５）が、それ自身閉じて設けられるか又は中断が設けられることを特徴とする、請求項２及び４〜９のいずれか１項に記載の調節可能なヒンジ。
【請求項１１】
少なくとも１つの環状カラー（１５）が、断面三角形又は半円形又は台形形状のプロフィールを有することを特徴とする、請求項２及び４〜１０のいずれか１項に記載の調節可能なヒンジ。
【請求項１２】
少なくとも１つの環状カラー（１５）が点状又は角柱状の延長部及び／又はギザギザを組み込んでいることを特徴とする、請求項２及び４〜１１のいずれか１項に記載の調節可能なヒンジ。
【請求項１３】
互いに同心である異なる直径の多数の環状カラー（１５）が設けられることを特徴とする、請求項２及び４〜１２のいずれか１項に記載の調節可能なヒンジ。
【請求項１４】
アラインメントワッシャー（６）が、簡単な回転対称な旋盤仕上げ片として設計され、かつ、少なくとも１つの環状カラー（１５）が、アラインメントワッシャー（６）上にカラーとして一体に形成されることを特徴とする、請求項２及び４〜１３のいずれか１項に記載の調節可能なヒンジ。
【請求項１５】
アラインメントワッシャー（６）が、比較的硬質の材料、例えば鋼で形成され、かつ、ヒンジ板（１，２）が比較的軟質の材料、例えばダイカスト亜鉛で形成されることを特徴とする、請求項１〜１４のいずれか１項に記載の調節可能なヒンジ。
【請求項１６】
アラインメントワッシャー（６）が、より大きな寸法のカラー（１２）を、環状カラー（１５）、即ちマトリックス表面又はリブ表面（１５，２３）の反対側に備えていることを有することを特徴とする、請求項２〜１５のいずれか１項に記載の調節可能なヒンジ。
【発明の詳細な説明】
【技術分野】
【０００１】
本発明は、請求項１の特徴を有する調節可能なヒンジに関する。
【背景技術】
【０００２】
このタイプのヒンジは、例えばEP0991836B1の主題で知られている。この周知のヒンジでは、互いに直角の２つの方向の調節は、それぞれの場合その中に凹み長孔を配置したヒンジ板から構成され、それを囲む領域は波形起伏（Riffeling）を備えている。
【０００３】
この長孔状のキャビティ中に、大きな直径のワッシャー形状の頂部から構成されるアリンメントブッシングが係合し、その下側に一体化した小さな直径の楕円形のカラーが設けられる。この楕円形のカラーは、ヒンジ板中の対応する楕円形受容部中に係合し、かつ、またその下側に波形起伏を有する。
【０００４】
その結果、アラインメントワッシャーの下側の波形起伏は、ヒンジ板中の凹み長孔中の波形起伏と協働する。
【０００５】
ヒンジを調節するため、アラインメントワッシャーは、この様にして、長孔の内側で互いに直角の２つの方向に移動することができ、アラインメントワッシャー中を延びるネジで固定される。
【０００６】
これは証明済みの設計であるが、それは、ダイカスト部品用の詳細金型のため、比較的高価である。
【０００７】
その他の欠点は、ヒンジ板中の長孔形状の受容部底部の波形起伏及びアラインメントワッシャーの表面の波形起伏は同じ配向を有している、という点である。
【０００８】
その結果、一つのアラインメントワッシャーは、長孔形状キャビティ中で一方向だけに移動可能で、かつ、隣接するアラインメントワッシャーは、他のアラインメントワッシャー形状の構成中では、前記方向に直角な方向に移動可能である。したがって、各長孔形状キャビティ中で一方向だけに調節することが可能である。したがって、調節の範囲は制限される。
【０００９】
EMKA社のヒンジのその他の実施の形態は周知であり、そこでは、ヒンジのヒンジ板はその中に設けられた円形のキャビティを有しており、その底部には小さな直径の波形起伏を有するフランジが形成される。
【００１０】
受容部の底部に配置された波形起伏は、互いに関して９０°をなして配置される。これは、一つの方向で且つその方向に直角な方向での位置合わせだけが存在する、ということを意味する。
【００１１】
対応するアラインメントワッシャーは、円形リング形状に設計され、かつ円形のカラーを有しており、その低部面にも波形起伏が設けられる。これらの波形起伏もまた互いに９０°に形成される。
【００１２】
これにより、以下の様な結果となる。即ち、取り付けネジが中にねじ込まれない時にヒンジが調節される場合、アラインメントワッシャーは、この様にして、アラインメントワッシャーの波形起伏とヒンジ板中の受入れ孔の波形起伏が同じ配向を有する様に、ヒンジ板の中の受入れ孔の内側で回転する必要がある。これは、ヒンジ板の受入れ孔の内側のアラインメントワッシャーの４つの異なる相対位置だけが可能であり、それらは各場合、互いに９０度の角度をなしている、ということを意味する。
【００１３】
これは、アラインメントワッシャーは、ヒンジ板の円形キャビティの内側で、長手方向及び／又はそれに対して直角の方向だけで移動可能で、かつ、波形起伏の区分（Teilung）によって固定されることが可能である、ということを意味する。
【００１４】
これには、アラインメントワッシャーの底部上及び受容部の底部で直角に配向された波形起伏は、ピッタリ合う様に互いに係合することが必要である。
【００１５】
この種のピッタリ係合は、ドアの総重量のせいで、また取り付けネジが外れる時、事故でドアが接続されたヒンジと共にフレーム上の正しい位置から外れるのを防止するため、そのままアラインメントワッシャーがぴたり合う様に波形起伏中に契合することが必用なため、いつも熱望される。
【００１６】
この様にして、この種の“ピッタリ係合”は、それぞれの場合、アラインメントワッシャーとヒンジ板の円形孔の内側の係合に関して、互いに９０°の方向でのみ達成される。
【００１７】
しかしながら、アラインメントワッシャーの円形デザインは、EMKAデザインにおいては、それが取り付けネジの締め付けの前及び最中に９０°未満で回転可能であり、アラインメントワッシャーの波形起伏とヒンジ板の受入れ孔の波形起伏は、もはや互いにピッタリ合う様には係合できない、という欠点を有する。
【００１８】
EP0991836Ｂ１の場合は、調節は、対応する長孔内で単一方向だけで可能であり、EMKAデザインでは、アラインメントワッシャーは調節可能で、互いに直角な二つの方向でヒンジ板の円形孔中に固定可能である。
【特許文献１】EP0991836Ｂ１
【発明の開示】
【発明が解決しようとする課題】
【００１９】
したがって、本発明は、初めに述べたタイプのアラインメントワッシャーを備えたヒンジを、その取付けがより早く、より簡単に、より確実に、かつ何度も再生可能に行え、また、アラインメントワッシャーが途中でヒンジ板の平面内の希望する全方向で調節可能で、ピッタリ合う様に固定することができるように改良することを目的とする。
【課題を解決するための手段】
【００２０】
上記目的を解決するため、本発明は請求項１の技術的教示内容に特徴を有する。
【００２１】
少なくとも一つの縁の鋭く隆起した領域（１５，２３）が、他の協働部品（１，２又は６）、即ちアラインメントワッシャー（６）又はヒンジ板（１，２）の少なくとも合わせ面として、より高い硬度を有することが本発明の必須用件である。
【００２２】
これは、少なくとも一つの縁の鋭く隆起した領域が、その硬度の高さのため、より軟質の片割れ中にぴたりと合う様に食い込んで、ヒンジねじがきつく締められると、この様にして、その領域に刻印された（eingepraeochgte）環状溝を作り出し、アラインメントワッシャーは、ヒンジ板の平面内で、ヒンジ板に関して実質的に望むとおり全方向に調節が可能であり、かつ、早くて、簡単で、確実で、かつ繰り返し再生可能な組立を容易に行うことができるという利点を有する。
【００２３】
より高い硬度の少なくとも一つの隆起領域は、好ましくはそれ自身閉じている縁の鋭い環状カラーの形に実施されるか、又は、それは、多くの同一又は類似の尖った隆起領域（例えばピラミッド）により、共に規則的に又は不規則に中断したリング（円、楕円、他）を形成する。
【００２４】
または、これらの尖った隆起領域はまた、より広い領域上に分布し、かつ、多数のマトリックス状の隣接するピラミッド、又は多数の例えば三角形断面を有するリブを備えた“掴み面（Gripperflaeche）”の形状をなす。
【００２５】
更に、その中に少なくとも一つの尖った隆起領域がピッタリ合う様に貫通する、軟質の合わせ面は、必ずしも平面で水平に形成される必要はないが、しかし、それは、少なくと尖った隆起領域又は前記の少なくとも合わせ面の表面から窪んだ少なくとも一つの領域を有していても良い。この少なくとも一つの隆起領域又はこの少なくとも一つの窪んだ領域は、どの様な断面形状でもよく、例えば、それは三角形、四角形、多角形、台形、円形等でもよく、また、それは複数存在しても良い。好ましくは、軟質の合わせ面領域上に隆起した三角形の断面形状を有する放射状配置の多数のリブが良い。
【００２６】
比較的硬質の隆起領域は、特にアラインメントワッシャー上に設けられて、それらは純粋にヒンジねじを締め付ける力を介して、ヒンジ板の受容部の底部のより軟質材中に押し込まれ、その領域中に刻印されるべき、対応するギザギザを作りだし、それにより、隆起領域とピッタリ合う係合を作り出す。しかしながら、これに対する予備条件は、少なくともヒンジ板の受容部の底部（又は受容部だけ、又はヒンジ板全体）は、アラインメントワッシャーの隆起領域より軟質の材料で構成される、ということである。特に、アラインメントワッシャー全体は、鋼で構成され、ヒンジ板全体は、ダイカストの亜鉛で構成される。
【００２７】
アラインメントワッシャーの隆起領域の刻印により、ピッタリ合う係合の改良を得るために、二つの設計の変形が特別に提供される。
【００２８】
１．環状カラーは、それが“ポイント（点）”からなる輪で構成され、それはより軟質の片割れ（例えば、ダイカスト亜鉛部）中により容易に食い込む様に実施される。もちろん、一つの環状カラー（又は、複数の環状カラー）を完全に放棄し、例えば、アラインメントワッシャーに、いわゆる“掴み面”、即ちピラミッド形状の先端を設けることもできる。しかしながら、これは、もはや純粋に費用対効果の高い旋盤仕上げ部品ではない。
【００２９】
２．例えば、アラインメントワッシャーは、より硬度の高い一つの環状カラー（又は複数の環状カラー）を有している。しかしながら、軟質の片割れ（例えば、ダイカスト亜鉛部）は、環状カラーが軟質のヒンジ板に切り込む様に設計される。これは、例えば、軟質のヒンジ板に、隆起領域（又は切り欠き）がまた設けられ、それらは好ましくは放射状構造に配置される。ヒンジ板の隆起領域（又は切り欠き）の放射状構造は、アラインメントワッシャーが、切り欠き中にシフトする傾向を有さず、それは単に沈み込むだけである、という利点を有する。
【００３０】
アラインメントワッシャーの環状カラーが、環状カラーによってヒンジ板のキャビティの底部中に刻印される関連環状溝に嵌り込むと、アラインメントワッシャーを所望のどの方向にも回転させることができ、かつ、にもかかわらず、アラインメントワッシャーとヒンジ板間のピッタリ係合及びピッタリ固定が、そのまま完全に維持される。
【００３１】
これは、ほんの軽く締められたアラインメントワッシャーの場合（例えば、ねじを緩める時）、ヒンジ板とのピッタリ係合がいつも維持され、かつ、過去の他の実施の形態、特にＥＭＫＡ社による実施の形態の様に、ヒンジに沿ったフレーム上にドア全体が滑り落ちるという危険性が全くない、という利点を有する。
【００３２】
したがって、どのようなヒンジ板の望ましい受入れ孔中にも、ヒンジ板に関して、その平面の全方向に、アラインメントワッシャーの移動が完全に自由に行え、また、ワッシャーのヒンジ板に関して完全に自由に回転できるが、これはEP0991836B1の先行技術には当てはまらない。
【００３３】
ＥＭＫＡ設計では、ピッタリ係合を得るため、アラインメントワッシャーは、調節操作中、アラインメントワッシャーの下側の波形起伏が、ヒンジ板のキャビティ領域の波形起伏と係合する様に、手で回転させなければならず、これは複雑で長ったらしく退屈で、必ずしもいつもピッタリ合う係合や信頼性のある組立でもなく、波形起伏が損傷をきたす虞れもあり、とても最適な組立ではない。
【００３４】
これは、環状カラーを有する本発明では必要ない。なぜならば、本発明の場合、環状溝が環状カラーによってキャビティ底部に刻印されるが、その環状溝中の、例えば、アラインメントワッシャーの下側に配置される少なくとも1つ環状カラーのピッタリと合う施錠（ロッキング）が、アラインメントワッシャーの任意のどの様な回転位置でも起こるからである
【００３５】
本発明は、アラインメントワッシャーに配置された少なくとも一つの環状カラーに限定されない。いわゆる機械的な反転は、発明的アイデア、即ち、ヒンジ板は、その上に配置された少なくとも一つの環状カラーを有するというアイデアで同様にカバーされる。また、多数の環状カラーは、アラインメントワッシャー又はヒンジ板上に可能であり、それは、他の部分の環状カラーにより刻印された所定の環状溝と協働する。また、上記のものの組合せが可能であり、その結果、少なくとも一つの環状カラーと少なくとも一つの刻印環状溝が各場合にアラインメントワッシャー及びヒンジ板上に存在する。唯一の重要な点は、いつも、アラインメントワッシャーがヒンジ板に関して任意に調節可能であり、また、組立後、少なくとも一つの環状カラーが、組立操作中に環状カラーによって刻印されたリング溝とピッタリ合う様に係合される、という点である。
【００３６】
したがって、本発明は、アラインメントワッシャーの底部表面（切羽（Stirnseite））上の単一の（好ましくは縁の鋭い）環状カラーの配置に限定されない。特に互いに同心である多数の環状カラーが同様に設けられても良く、その各々は鋭い縁として実施される。
【００３７】
本発明は、好ましくは、アラインメントワッシャー上の全周に沿って延びる、周状に連続した環状カラーに関する。しかしながら、本発明は、これに限定されない。定位置の周上だけに分布・配置されるべき環状カラーが準備されても良い。
【００３８】
同様に、環状カラーは、ポイント状の又は角柱状の延長部により置き換えることができ、この延長部はまた、アラインメントワッシャーの切羽の周囲に沿った同一直径上にのみ配置・分配される。
【００３９】
たった一つの単一環状カラーである必要がないことは、他の観点で先に述べたが、異なる直径の多数の環状カラーが、アラインメントワッシャーの切羽上に設けられても良い。
【００４０】
アラインメントワッシャー全体が、簡単な旋盤仕上げ片（Drehteil）として実施されても良く、また、上記比較的縁の鋭い環状カラーが、アラインメントワッシャー上に一体に形成された機械仕上げカラーとして提供されることができることが特に有利である。
【００４１】
アラインメントワッシャーは、この様にして、費用対効果の高い旋盤仕上げの鋼部品から製造されることができる。
【発明を実施するための最良の形態】
【００４２】
本発明は、実施の一方法だけ説明する図面に基づいて、以下により詳細に説明される。本発明の追加の特徴及び利点は、図面及びそれらの説明から明らかになる。
【００４３】
図１：  本発明のヒンジ構成の正面図。
図２：  図１のヒンジ構成の平面図
図３：  アラインメントワッシャーの第１の実施の形態の斜視図を有する、図1のヒンジの一部分解斜視図。
図４：  ヒンジ板中のキャビティ底部の２つの環状溝の構成を示す概略図。
図５：  ヒンジ板の断面図。
図６：  図５におけるヒンジ板受容部の外周縁領域の拡大断面図。
図７：  図５におけるヒンジ板受容部の環状溝の波形起伏領域の拡大断面図。
図８：  図１におけるヒンジの他の実施の形態における一部分解斜視図。
図９：  図８におけるアラインメントワッシャーのヒンジ板の受容部底部に設けられた波形起伏構成の拡大正面図。
図１０：  アラインメントワッシャーの第２の実施の形態の底部面図。
図１１：  図１０の側面断面図。
【実施例】
【００４４】
図１，２及び３において、ヒンジは、互いに回転可能に支持された２つのヒンジ板１，２から構成され、それぞれが互いに相補的で、それらの中を延びる中央孔５を有する延長片３，４を形成し、それぞれにピンが挿通されている（詳細には示されていない）。したがって、ヒンジは、単一ピンヒンジバンドである。
【００４５】
各ヒンジ板１，２の領域において、２つの間隔を置いて離れた受容部７が、この場合、アラインメントワッシャー６に対応する調節可能な収容部として設けられている。
【００４６】
図１は、アラインメントワッシャー６が既に受容部７に挿入された状態を示す。
【００４７】
この場合、受容部７全体は、受容部７中のそれぞれのアラインメントワッシャー６の最大限可能な移動位置とは関係なく、それぞれの場合に被覆されているのは、明らかである。
【００４８】
受容部７の周囲は、識別目的で、より大きな寸法のエッジトリム８により取り囲まれている。図３は、ヒンジ板１中に凹状に設けられた受容部７が、前記エッジトリム８から構成され、このエッジトリムは、ほぼ断面正方形に実施されかつ外観目的だけに役に立つことを示す。それは、位置合わせ装置の機能に関してその他の機能は有していない。エッジトリム８は、所定のヒンジ板１，２の表面より僅かに隆起して配置される。したがって、このエッジトリム８領域では、アラインメントワッシャー６は、大きな直径の外周カラー１２上に乗っている。しかしながら、このエッジトリム８はまた、他の実施の形態においては無くても良い。
【００４９】
アラインメントワッシャー６のカラーの直径は、どのような任意の移動位置においても、受容部７の内径が常にカバーされる様に、選択される。
【００５０】
受容部のプロフィールは、図５に従って正方形に設計され、該正方形は丸みのある縁を有している。これは、そこに描かれるほぼ断面正方形の壁９を有する図３と、壁９もまた描かれている図５の説明との比較から明らかである。
【００５１】
大きな直径の壁９は、小さな直径の底部１０中へ直角に移行し、そこでは受容部７の底部１０の領域に波形起伏２２が配置され、この波形起伏はアラインメントワッシャー６により刻印される。
【００５２】
図６は、僅かに隆起したエッジトリム８を示し、それはヒンジ板２の残りの面に比らべて隆起して設けられる。
【００５３】
図４は、アラインメントワッシャー６によって、同じサイズの２つの環状溝１６，１８が、どの様に底部１０の底部面の波形起伏２２の形に刻印されたかを、ある程度は示している。
【００５４】
アラインメントワッシャー６の鋭い縁の環状カラー１５は、小さな直径のブッシング１３の面の領域で一体部品として形成され、比較すると、前記ブッシング１３は、ブッシング１３を取り囲むカラー１２より小さな直径を有する。
【００５５】
図３は、ヒンジ板１，２が、それらの各受容部７中に、中央のほぼ円形の貫通開口１１を有していることを示し、かつアラインメントワッシャー６が、ほぼ円形の中央貫通開口２４を有し、貫通開口１１，２４、を通って取り付けネジが延び（図示せず）、互いの方向に回転可能な２つの要素、例えば家具部品間のヒンジを固定する。
【００５６】
図８及び９は、ヒンジ板１，２中の（アラインメントワッシャー６用の）受容部７の底部に修正面を有する、図３のものから修正されたヒンジの一実施の形態を示す。これらの図に示される放射状に延びた隆起領域１７は、受容部７の中央に共通の想像上の中心点を有する。これらの放射状に延びた隆起領域１７は、ほぼ断面形状三角形に形成されて、ヒンジ２の平面に平行な平面中に位置する。
【００５７】
他の実施の形態においては、隆起領域１７はまた、異なる断面形状、例えば、円形、楕円形、四角形、多角形等の断面形状を有していても良い。また、放射状に延びた隆起領域１７は、必ずしも想像上の共通な中心点有していなくても良いが、それらはまた異なる想像上の点で相交わっても良い。他の実施の形態においては、隆起領域は全く相交わらずに互いに平行に延びても良い。
【００５８】
アラインメントワッシャー６の鋭い縁の環状カラー１５は、取り付けネジが締められるとき、ピタリ合う様に隆起領域１７中に食い込むことだけが重要な点であり、かくして図４及び５の刻印された円形波形起伏２２から離れる。
【００５９】
図１０及び図１１は、アラインメントワッシャー１９の形の、環状カラー１５を有するアラインメントワッシャー６の実施の形態であり、図９から変更されたもので、それは、環状カラー１５の代わりに、カラー２１上の全面上にピラミッド形状の点２３を有する。
【００６０】
しかしながら、他の実施の形態においては、カラー２１の切羽２０にはまた、断面のみピラミッド形状の点が設けられても良く、そのピラミッド形状の点２１はまた１つのリング又は多数のリングの形に配置されても良い。
【００６１】
この場合も、アラインメントワッシャー６のピラミッド形状の点２３は、取り付けネジ（図示せず）が締められるとき、ピッタリ合う様にヒンジ板１，２の受容部７の底部面中へ食い込み、それにより刻印された波形起伏（図示せず）から離れる、ことだけが重要な点である。
【００６２】
もちろん、図８，９及び１０，１１の実施の形態の組合わせも同様に用いられ、その結果、アラインメントワッシャー１９は、取付けネジ（図示せず）が締められると、図８，９の受容部７中ピッタリ合う様に放射状に延びた隆起領域中に食い込む。
【図面の簡単な説明】
【００６３】
【図１】本発明のヒンジ構成の正面図。
【図２】図１のヒンジ構成の平面図
【図３】アラインメントワッシャーの第１の実施の形態の斜視図を有する、図1のヒンジの一部分解斜視図。
【図４】ヒンジ板中のキャビティ底部の２つの環状溝の構成を示す概略図。
【図５】ヒンジ板の断面図。
【図６】図５におけるヒンジ板受容部の外周縁領域の拡大断面図。
【図７】図５におけるヒンジ板受容部の環状溝の波形起伏領域の拡大断面図。
【図８】図１におけるヒンジの他の実施の形態における一部分解斜視図。
【図９】図８におけるアラインメントワッシャーのヒンジ板の受容部底部に設けられた波形起伏構成の拡大正面図。
【図１０】アラインメントワッシャーの第２の実施の形態の底部面図。
【図１１】図１０の側面断面図。
【符号の説明】
【００６４】
１，２．．．ヒンジ板
３，４．．．延長片
６，１９．．．アラインメントワッシャー
７．．．受容部
８．．．外周縁
９．．．壁
１０．．．底部
１１．．．貫通開口
１２．．．カラー
１３．．．ブッシング
１４．．．面（切羽）
１５．．．環状カラー（アラインメントワッシャー）
１６，１８．．．環状溝
１７．．．放射状に延びる隆起領域
２０．．．アラインメントワッシャーのカラー
２１．．．アラインメントワッシャーのカラーの切羽（面）
２２．．．波形起伏
２３．．．ピラミッド形状の点
２４．．．アラインメントワッシャーの貫通開口
【図１】
2007107371.tif 000003
【図２】
2007107371.tif 000004
【図３】
2007107371.tif 000005
【図４】
2007107371.tif 000006
【図５】
2007107371.tif 000007
【図６】
2007107371.tif 000008
【図７】
2007107371.tif 000009
【図８】
2007107371.tif 000010
【図９】
2007107371.tif 000011
【図１０】
2007107371.tif 000012
【図１１】
2007107371.tif 000013
【外国語明細書】
2007107371.tif 000014
2007107371.tif 000015
2007107371.tif 000016
2007107371.tif 000017
2007107371.tif 000018
2007107371.tif 000019
2007107371.tif 000020
2007107371.tif 000021
2007107371.tif 000022
2007107371.tif 000023
2007107371.tif 000024
2007107371.tif 000025
2007107371.tif 000026
2007107371.tif 000027
2007107371.tif 000028
2007107371.tif 000029
2007107371.tif 000030
【図１】
2007107371.tif 000031
【図２】
2007107371.tif 000032
【図３】
2007107371.tif 000033
【図４】
2007107371.tif 000034
【図５】
2007107371.tif 000035
【図６】
2007107371.tif 000036
【図７】
2007107371.tif 000037
【図８】
2007107371.tif 000038
【図９】
2007107371.tif 000039
【図１０】
2007107371.tif 000040
【図１１】
2007107371.tif 000041